(57)【要約】      （修正有）【課題】使用者の所望する多様な使用方法に応えるとともに、音声を聴取し易い位置にスピーカーを配置し、自在にスピーカーの方向を調節することができ、かつ吊掛部材の長さを簡便に調節することができる構造とした、音響機器から供給される音声信号を音声再生する、首元に装着して使用する携帯用スピーカー装置を提供する。【解決手段】携帯用スピーカー装置１は、本体２と、アーム部３と、スピーカー部４と、係止機構５とからなる。アーム部３は本体２から二股状に突き出す形状であって、スピーカー部４はアーム部３の両先端部にアーム部３に対して回動可能に取り付けられている。係止機構５は、使用者の首元に携帯用スピーカー装置１を装着するために使用者の首に掛ける吊掛部材を押圧係止する。【選択図】図１
2015201811.tif 000002
【特許請求の範囲】
【請求項１】
音響機器から供給される音声信号を音声再生する携帯用スピーカー装置であって、使用者の首元に装着して使用する携帯用スピーカー装置であり、本体と、アーム部と、スピーカー部とからなり、該アーム部が該本体から二股状に突き出す形状であって、該アーム部の両先端部に該スピーカー部が備えられていることを特徴とする携帯用スピーカー装置。
【請求項２】
請求項１に記載した携帯用スピーカー装置であって、前記スピーカー部は前記アーム部に対して回動可能に取り付けられていることを特徴とする携帯用スピーカー装置。
【請求項３】
請求項１又は２に記載した携帯用スピーカー装置であって、使用者の首元に該携帯用スピーカー装置を装着するために使用者の首に掛ける吊掛部材を押圧係止するための係止機構が設けられていることを特徴とする携帯用スピーカー装置。
【発明の詳細な説明】
【技術分野】
【０００１】
本発明は、テレビジョン装置等の音響機器から供給される音声信号を音声再生する携帯用スピーカー装置であって、特に使用者がその首元に装着して使用する携帯用スピーカー装置に関する。
【背景技術】
【０００２】
例えば高齢者や聴覚障害者等の聴覚機能が低下している者にとっては、音響機器から発せられる音声を該音響機器から離れた場所で聴取することが困難な場合がある。このような場合、該音響機器から発せられる音声を聴取しようとしてその音量を上げると、周囲にいる者にとっては不快になることがある。
【０００３】
そこで使用者はイヤホンやヘッドホンを装着することによって、周囲にいる者を不快にさせることなく、該音響機器から発せられる音量を自在に調節しながら、該音響機器から離れた場所で該音響機器から発せられる音声を聴取することができる。しかしながら、イヤホンやヘッドホンは使用者の耳を塞いで装着するものであるから、例えば来客を知らせるチャイム等の該音響機器から発せられる音声以外の音声を聴取することができなくなり、そうするとまた周囲にいる者と会話することも困難になるという問題があった。
【０００４】
そこで、使用者がその首に湾曲したベース部を掛けて携帯することができる首掛け式スピーカー（例えば、特許文献１参照）、使用者がその首にストラップを掛けて携帯することができる首掛け式スピーカー（例えば、特許文献２及び３参照）等の使用者の首元に装着することができる携帯用スピーカー装置が従来提案されているところである。
【先行技術文献】
【特許文献】
【０００５】
【特許文献１】特開２００９−２０１０８８号公報
【特許文献２】特開２００９−１１８４０９号公報
【特許文献３】実登３１６５２３８号公報
【０００６】
上記のような使用者の首元に装着して使用する携帯用スピーカー装置によれば、イヤホンやヘッドホンと同様に、周囲にいる者を不快にさせることなく、該音響機器から発せられる音量を自在に調節しながら、該音響機器から離れた場所で該音響機器から発せられる音声を聴取することができるとともに、イヤホンやヘッドホンとは異なって、使用者の耳を塞いで装着するものではないから、該音響機器から発せられる音声以外の音声も聴取することができ、そうすると周囲にいる者と会話することもできるため、好適である。
【発明の開示】
【発明が解決しようとする課題】
【０００７】
しかしながら、上記の従来技術に係る携帯用スピーカー装置は、専ら使用者の首元に装着して使用することしか想定しておらず、例えば机上に戴置して使用したりあるいは横臥した使用者の首の下に戴置して使用したりすることは想定していないため、使用者の所望する多様な使用方法に応えることができないという問題があった。
【０００８】
そこで、本発明の第一の課題は、音響機器から供給される音声信号を音声再生する携帯用スピーカー装置であって、使用者の首元に装着して使用する携帯用スピーカー装置につき、使用者の所望する多様な使用方法に応えることができる構造とした携帯用スピーカー装置を提供することにある。
【０００９】
また、上記の従来技術に係る携帯用スピーカー装置は、使用者の首元に装着した際にスピーカーが使用者の耳から遠くに位置することがあるため、使用者が該スピーカーから発せられる音声を十分に聴取することができないという問題があった。
【００１０】
そこで、本発明の第二の課題は、音響機器から供給される音声信号を音声再生する携帯用スピーカー装置であって、使用者の首元に装着して使用する携帯用スピーカー装置につき、使用者が音声を聴取し易い位置にスピーカーを配置する構造とした携帯用スピーカー装置を提供することにある。
【００１１】
そして、スピーカーが使用者の耳の方向を向いていないと使用者が該スピーカーから発せられる音声を十分に聴取することができないという問題があるところ、上記の従来技術に係る携帯用スピーカー装置は、スピーカーの方向が固定されているものが多いため、スピーカーが使用者の耳の方向を向いていなくても、その方向を調節することができないという問題があった。この点は、上記の通り、使用者の首元に装着して使用する以外にも、使用者の所望する多様な使用方法に応えようとする携帯用スピーカー装置を提供しようとすれば、更に問題となる。
【００１２】
そこで、本発明の第三の課題は、音響機器から供給される音声信号を音声再生する携帯用スピーカー装置であって、使用者がその首元に装着して使用する携帯用スピーカー装置につき、使用者が自在にスピーカーの方向を調節することのできる構造とした携帯用スピーカー装置を提供することにある。
【００１３】
そして、上記の従来技術に係る携帯用スピーカー装置は、該携帯用スピーカー装置に取り付けたストラップ等の吊掛部材を首に掛けて使用者の首元に装着するものが多いところ、使用者が該吊掛部材の長さを調節するのが煩雑であるという問題があった。
【００１４】
そこで、本発明の第四の課題は、音響機器から供給される音声信号を音声再生する携帯用スピーカー装置であって、使用者の首元に装着して使用する携帯用スピーカー装置につき、吊掛部材の長さを簡便に調節することができる構造とした携帯用スピーカー装置を提供することにある。
【課題を解決するための手段】
【００１５】
本発明は、上記の各課題を解決するために提案されたものであり、以下の構成を有するものである。以下では、本発明の構成を理解することを補助するために、本願に添付した図面に表示した番号及び符号をあわせて記載する。
【００１６】
請求項１に係る携帯用スピーカー装置１は、音響機器Ａから供給される音声信号を音声再生する携帯用スピーカー装置であって、使用者の首元に装着して使用する携帯用スピーカー装置であり、本体２と、アーム部３と、スピーカー部４とからなり、アーム部３が本体２から二股状に突き出す形状であって、アーム部３の両先端部にスピーカー部４が備えられている携帯用スピーカー装置である。
【００１７】
請求項２に係る携帯用スピーカー装置１は、請求項１に記載した携帯用スピーカー装置であって、スピーカー部４はアーム部３に対して回動可能に取り付けられている携帯用スピーカー装置である。
【００１８】
請求項３に係る携帯用スピーカー装置１は、請求項１又は２に記載した携帯用スピーカー装置であって、使用者の首元に携帯用スピーカー装置１を装着するために使用者の首に掛ける吊掛部材Ｃを押圧係止するための係止機構５が設けられていることを特徴とする携帯用スピーカー装置である。
【発明の効果】
【００１９】
本発明に係る携帯用スピーカー装置は、上記の通りの構成であるから、以下のような効果を得ることができる。
【００２０】
請求項１に記載した携帯用スピーカー装置は、本体と、アーム部と、スピーカー部とからなり、該アーム部が該本体から二股状に突き出す形状であって、該アーム部の両先端部に該スピーカー部が備えられていることから、使用者の首元に装着して使用できることはもちろんであるが、例えば机上に戴置して使用する際にも机上に安定的に戴置して使用することができるとともに、横臥した使用者の首の下に戴置して使用すること等も可能である。
【００２１】
従って、請求項１に記載した携帯用スピーカー装置は、音響機器から供給される音声信号を音声再生する携帯用スピーカー装置であって、使用者の首元に装着して使用する携帯用スピーカー装置につき、使用者の所望する多様な使用方法に応えることができる構造とした携帯用スピーカー装置を提供するという本発明の第一の課題を解決することができる。
【００２２】
また、請求項１に記載した携帯用スピーカー装置は、その全体的な形状が上記のような形状であることから、とりわけ使用者の首元に装着して使用する際に、使用者の耳の近傍に該スピーカー部が位置することになる。
【００２３】
従って、請求項１に記載した携帯用スピーカー装置は、音響機器から供給される音声信号を音声再生する携帯用スピーカー装置であって、使用者の首元に装着して使用する携帯用スピーカー装置につき、使用者が音声を聴取し易い位置にスピーカーを配置する構造とした携帯用スピーカー装置を提供するという本発明の第二の課題も解決することができる。
【００２４】
請求項２に記載した携帯用スピーカー装置は、請求項１に記載した携帯用スピーカー装置であって、前記スピーカー部は前記アーム部に対して回動可能に取り付けられている携帯用スピーカー装置であるから、使用者は適宜スピーカーの方向を調節することができる。とりわけ本願発明に係る携帯用スピーカー装置は、上記の通り、使用者の首元に装着して使用する以外にも、使用者の所望する多様な使用方法に応えようとする携帯用スピーカー装置を提供するものであるから、このような構造にすることが一層好適である。
【００２５】
従って、請求項２に記載した携帯用スピーカー装置は、音響機器から供給される音声信号を音声再生する携帯用スピーカー装置であって、使用者がその首元に装着して使用する携帯用スピーカー装置につき、使用者が自在にスピーカーの方向を調節することのできる構造とした携帯用スピーカー装置を提供するという本発明の第三の課題を解決することができる。
【００２６】
請求項３に記載した携帯用スピーカー装置は、請求項１又は２に記載した携帯用スピーカー装置であって、前記吊掛部材を押圧係止するための係止機構が設けられている。そうすると、該携帯用スピーカー装置に取り付けた吊掛部材を首に掛けて使用者の首元に装着する際に、使用者は該吊掛部材を所望の位置で押圧係止して、該吊掛部材の長さを調節することができる。
【００２７】
従って、請求項３に記載した携帯用スピーカー装置は、音響機器から供給される音声信号を音声再生する携帯用スピーカー装置であって、使用者の首元に装着して使用する携帯用スピーカー装置につき、使用者が吊掛部材の長さを簡便に調節することができる構造とした携帯用スピーカー装置を提供するという本発明の第四の課題を解決することができる。
【図面の簡単な説明】
【００２８】
【図１】本発明の一実施形態に係る携帯用スピーカー装置を示した斜視図である。
【図２】本発明の一実施形態に係る携帯用スピーカー装置を示した正面図である。
【図３】本発明の一実施形態に係る携帯用スピーカー装置を示した背面図である。
【図４】本発明の一実施形態に係る携帯用スピーカー装置を示した側面図である。
【図５】本発明の一実施形態に係る携帯用スピーカー装置を示した平面図である。
【図６】本発明の一実施形態に係る携帯用スピーカー装置を示した底面図である。
【図７】本発明の一実施形態に係る携帯用スピーカー装置を一部拡大し内部機構を省略した端面を示す縦端面図である。
【図８】本発明の一実施形態に係る携帯用スピーカー装置に吊掛部材を取り付けた状態を示した背面図である。
【図９】本発明の一実施形態に係る携帯用スピーカー装置に吊掛部材を取り付けた状態を示した一部縦断面図である。
【図１０】本発明の一実施形態に係る携帯用スピーカー装置を使用する状態を示した使用状態説明図である。
【発明を実施するための形態】
【００２９】
まず、本発明の一実施形態に係る携帯用スピーカー装置の構造について添付図面に基づいて説明する。
【００３０】
本発明に係る携帯用スピーカー装置１は、図示するように、その全体的な形状が正面視略Ｙ字形であるとともに平面視略くの字形であって、本体２と、アーム部３と、スピーカー部４と、係止機構５とから形成されている。
【００３１】
携帯用スピーカー装置１は、携帯用スピーカー装置１を作動させるための電力を供給する充電池と、テレビジョン装置等の音響機器Ａに取り付けた送信機Ｂから送信される２．４ＧＨｚ帯の無線信号を受信する受信素子と、該受信素子によって受信した２．４ＧＨｚ帯の無線信号を音声信号に復調する復調部と、該復調部によって復調された音声信号を増幅する増幅部と、該増幅部によって増幅された音声信号を出力するスピーカーとを内蔵している。
【００３２】
音声信号を２．４ＧＨｚ帯の無線信号に変調して送受信することによって、携帯用スピーカー装置１と送信機Ｂとの間に家具等の障害物があったとしても、該無線信号の送受信に支障を生ずることが少なく、好適である。よって、本発明の実施態様では音声信号を２．４ＧＨｚ帯の無線信号に変調して送受信するものについて説明するが、音響機器から供給される音声信号を音声再生できればよいため、例えば音声信号を赤外線信号に変調して送受信するものであってもよい。従って、本発明の実施形態は、音声信号を２．４ＧＨｚ帯の無線信号に変調して送受信するものに限定されるものではない。
【００３３】
本体２は、図示するように、箱形であって、全体的に面取りされていて、両側面は正面視上方から下方に向かって外側から内側へとやや傾斜しており、下面は下方に向かってやや突出するように円弧状に形成されており、上面には平面視略くの字形に凹部２ａが設けられている。本体２の正面には、携帯用スピーカー装置１の電源の入切を行うためのスイッチ及び音量の大小を調節するためのボタン等の使用者が携帯用スピーカー装置１の操作を行うための操作部２ｂが設けられているとともに、電源の入切や電池の残量等の携帯用スピーカー装置の状態をランプで表示して使用者に知らせるための状態表示部２ｃが設けられている。また、本体２の背面には、リング状のストラップ等の吊掛部材Ｃを挿通するための吊掛部材挿通孔２ｄが左右に二箇所穿設されている。吊掛部材挿通孔５ａとあわせて三箇所で吊掛部材Ｃを携帯用スピーカー装置１に取り付けることによって、使用者の首元に携帯用スピーカー装置１を安定的に装着することができる。
【００３４】
アーム部３は、図示するように、略円柱状であって、本体２の上部両側面から二股状に突き出しており、携帯用スピーカー装置１のやや斜め上方に向かって延びているとともにやや背面に向かって延びている。
【００３５】
携帯用スピーカー装置１は、上記のような構造であるから、使用者の所望する多様な使用方法に応えることができるともに、使用者が音声を聴取し易い位置にスピーカーを配置する構造になっている。
【００３６】
スピーカー部４は、図示するように、円筒半球状であって、スピーカーを内蔵しており、正円状の放音孔４ａが複数設けられている。アーム部３の両先端部は開口部３ａになっており、スピーカー部４の一端部がアーム部３の開口部３ａ内に嵌入されアーム部３に対して回動可能に取り付けられている。即ち、図示するように、開口部３ａの内周面には円周状に凸レール３ｂが設けられているとともに、開口部３ａ内に嵌入されたスピーカー部４の端部の外周面には円周状に凹レール４ｂが設けられており、凹レール４ｂが凸レール３ｂに対して滑動可能に嵌合されている。
【００３７】
携帯用スピーカー装置１は、上記のような構造であるから、使用者が自在にスピーカーの方向を調節することのできる構造になっている。
【００３８】
係止機構５は、図示するように、本体２の下部から下方へと突出している部分に設けられており、吊掛部材挿通孔５ａと、押圧部材挿通孔５ｂと、バネ部材５ｃと、押圧部材５ｄとからなる。吊掛部材挿通孔５ａは、吊掛部材Ｃを挿通するための携帯用スピーカー装置１の底面に穿設されている貫通孔である。押圧部材挿通孔５ｂは、携帯用スピーカー装置１の正面に穿設されている貫通孔であり、押圧部材５ｄが挿通されている。バネ部材５ｃは、携帯用スピーカー装置１の内部に収容されており、押圧部材５ｄを携帯用スピーカー装置１の正面に向かって押し出すように付勢している。押圧部材５ｄは、二枚の正面視正円状の平板部材を円柱状の部材によって連結した部材であって、その一端が携帯用スピーカー装置１内に脱出不能に収容されている。
【００３９】
即ち、図示するように、バネ部材５ｃが押圧部材５ｄを携帯用スピーカー装置１の正面に向かって押し出すように付勢しているところ、吊掛部材Ｃは内側の平板部材と携帯用スピーカー装置１の内側面によって挟持された状態になるため、吊掛部材Ｃは一定の長さを保ちながら携帯用スピーカー装置１に係止されている。一方、使用者が押圧部材５ｄを携帯用スピーカー装置１の背面に向かって押し入れることによって、吊掛部材Ｃは内側の平板部材と携帯用スピーカー装置１の内側面によって挟持された状態が解除されるため、吊掛部材Ｃの長さを調節することができる。携帯用スピーカー装置１は、上記のような構造であるから、使用者が吊掛部材Ｃの長さを簡便に調節することができる構造になっている。
【００４０】
以上が、本発明の一実施形態に係る携帯用スピーカー装置の構造についての説明である。次に、本発明の一実施形態に係る携帯用スピーカー装置の使用態様について添付図面に基づいて説明する。
【００４１】
送信機Ｂは、電源の入切及び電流の変換等を行う電源部と、音響機器の音声信号を２．４ＧＨｚ帯の無線信号に変調する変調部と、２．４ＧＨｚ帯の無線信号に変調した音声信号を発信する発信素子とを備えている。使用者は、ＡＣアダプターを介して送信機Ｂをコンセントに接続するとともにテレビジョン装置等の音響機器Ａに備えられているイヤホン端子又はライン端子等の各種端子に接続して、音響機器Ａ及び送信機Ｂの電源を入れる。尚、送信機Ｂの電源の入切は音響機器Ａの電源の入切に連動するように構成することも可能である。
【００４２】
使用者は、ＡＣアダプターを介して携帯用スピーカー装置１をコンセントに接続して予め充電池に充電をしておく。このとき使用者は、状態表示部２ｃを確認することによって、携帯用スピーカー装置１が充電中であることあるいは充電が完了したことを確認することができる。
【００４３】
使用者は、携帯用スピーカー装置１を首に掛けて使用する際には、ストラップ等の吊掛部材Ｃを吊掛部材挿通孔２ｄ及び吊掛部材挿通孔５ａに挿通させ、所望の位置で吊掛部材Ｃを押圧係止して吊掛部材Ｃの長さを調節し、吊掛部材Ｃを首に掛けて携帯用スピーカー装置１を首元に装着する。もちろん、携帯用スピーカー装置１は、使用者の好みに応じて、首元に装着して使用する以外にも、机上に戴置して使用することができるとともに、横臥した使用者の首の下に戴置して使用すること等もできる。更に、使用者が携帯用スピーカー装置１を身体に装着して使用することに疲労感を覚えた場合等にあっては、使用者は使用者の身体から携帯用スピーカー装置１を取り外して、吊掛部材Ｃを壁に取り付けたフックに掛けて使用すること等も可能である。
【００４４】
また、使用者は、上記のような携帯用スピーカー装置１の使用態様等に応じて、スピーカーから発せられる音声を聴取し易いようにスピーカー部４を適宜回動させて自在にスピーカーの方向を調節することができる。
【００４５】
使用者は、携帯用スピーカー装置１の電源スイッチを入れることによって、携帯用スピーカー装置１を作動させることができる。このとき使用者は、状態表示部２ｃを確認することによって、携帯用スピーカー装置１が作動していることを確認することができる。尚、携帯用スピーカー装置１の電源の入切は音響機器Ａ又は送信機Ｂの電源の入切に連動するように構成することも可能である。
【００４６】
使用者が携帯用スピーカー装置１の電源スイッチを入れることによって、受信素子が送信機Ｂから送信される２．４ＧＨｚ帯の無線信号を受信し、復調部が該受信素子によって受信された２．４ＧＨｚ帯の無線信号を音声信号に復調し、増幅部が該復調部によって復調された音声信号を増幅させ、スピーカーが該増幅部によって増幅された音声信号を出力する。
【００４７】
尚、一台の送信機Ｂから複数の携帯用スピーカー装置１に対して２．４ＧＨｚ帯の無線信号を発信して受信するようにして、複数人が携帯用スピーカー装置１を装着して同時に同じ音声を聴取できるように構成することもできる。このような構成によれば、例えば老人ホームにおけるレクリエーション等で大勢が集まって一台のテレビジョン装置を視聴する際に好適である。尚、このような構成にする場合には、携帯用スピーカー装置１を一台使用する場合と複数台使用する場合とを使い分けられるように、携帯用スピーカー装置１に切替スイッチ２ｅを設けるとともに、送信機Ｂにも切替スイッチを設けるのが好適である。
【００４８】
使用者は、携帯用スピーカー装置１を使用する状況等に応じて、操作部２ｂを操作することによって、音量の大小を調節することができる。
【００４９】
使用者は、携帯用スピーカー装置１の電源スイッチを切ることによって、携帯用スピーカー装置１を停止させることができる。このとき使用者は、状態表示部２ｃを確認することによって、携帯用スピーカー装置１が停止したことを確認することができるともに、充電池の残量等を確認することができる。
【符号の説明】
【００５０】
１  携帯用スピーカー装置
２  本体
２ａ  凹部
２ｂ  操作部
２ｃ  状態表示部
２ｄ  吊掛部材挿通孔
２ｅ  切替スイッチ
３  アーム部
３ａ  開口部
３ｂ  凸レール
４  スピーカー部
４ａ  放音孔
４ｂ  凹レール
５  係止機構
５ａ  吊掛部材挿通孔
５ｂ  押圧部材挿通孔
５ｃ  バネ部材
５ｄ  押圧部材
Ａ  音響装置
Ｂ  送信機
Ｃ  吊掛部材
【図７】
2015201811.tif 000003
【図１】
2015201811.tif 000004
【図２】
2015201811.tif 000005
【図３】
2015201811.tif 000006
【図４】
2015201811.tif 000007
【図５】
2015201811.tif 000008
【図６】
2015201811.tif 000009
【図８】
2015201811.tif 000010
【図９】
2015201811.tif 000011
【図１０】
2015201811.tif 000012